(57)【要約】【課題】ランプ内部部品の変形や割れ、ハウジングの割れ等を招くことなくランプ内部部品をハウジングに固定することができるランプ内部部品の固定構造を提供すること。【解決手段】ハウジング２内に収容されるリフレクタ（ランプ内部部品）５の前記ハウジング２への固定構造として、前記ハウジング２に円孔２ａを形成し、該円孔２ａに前記リフレクタ５に突設された突起５ａを通して円孔２ａから突出させ、その突出部を熱カシメによってハウジング２に固着することによってリフレクタ５をハウジング２に固定する構成を採用する。又、前記リフレクタ５の前記ハウジング２への固着部を防水カバー６で覆う。【選択図】図３
2012114011.tif 000002
【特許請求の範囲】
【請求項１】
ハウジング内に収容されるランプ内部部品の前記ハウジングへの固定構造であって、
前記ハウジングに孔を形成し、該孔に前記ランプ内部部品に突設された突起を通して孔から突出させ、その突出部を熱カシメによってハウジングに固着することによってランプ内部部品をハウジングに固定することを特徴とするランプ内部部品の固定構造。
【請求項２】
前記ランプ内部部品の前記ハウジングへの固着部を防水カバーで覆ったことを特徴とする請求項１記載のランプ内部部品の固定構造。
【請求項３】
ハウジング内に収容されるランプ内部部品の前記ハウジングへの固定構造であって、
前記ハウジングに孔を形成し、該孔に前記ランプ内部部品に突設された突起を通して孔から突出させ、その突出部にプッシュナットを圧入することによってランプ内部部品をハウジングに固定するとともに、その固定部を防水カバーで覆ったことを特徴とするランプ内部部品の固定構造。
【発明の詳細な説明】
【技術分野】
【０００１】
本発明は、ランプのハウジング内に収容されるリフレクタ等のランプ内部部品のハウジングへの固定構造に関するものである。
【背景技術】
【０００２】
ヘッドランプ等の車両用灯具は、ハウジングとその開口部を覆うアウタレンズによって画成される灯室内にリフレクタや該リフレクタに支持される光源等を収容して構成されているが、例えばランプ内部部品であるリフレクタは、従来、図７に示す固定構造によってハウジングに固定されていた。
【０００３】
即ち、図７は車両用灯具におけるリフレクタのハウジングへの固定構造の従来例を示す部分断面図であり、図示のようにハウジング１０２に一体に形成されたボス１０２Ａの固定座には円孔１０２ａが形成されており、リフレクタ１０５の背面にはボス１０５Ａがハウジング１０２側に向かって一体に突設され、このボス１０５Ａの中心にはネジ穴１０５ａが形成されている。
【０００４】
而して、リフレクタ１０５のハウジング１０２への固定は、リフレクタ１０２のボス１０２Ａをハウジング１０２のボス１０２Ａに形成された凹部１０２ｂに嵌め込み、ハウジング１０２の外側から円孔１０２ａに挿通するネジ１０８をリフレクタ１０５のネジ穴１０５ａにねじ込むことによってなされる。尚、ネジ１０８の頭部１０８ａとハウジング１０２の固定座の間にはシールガスケット１０９が介装されている。
【０００５】
ところで、特許文献１には、車両用灯具のハウジングを車体に固定する構造として、ハウジングにネジボスを一体に突設し、このネジボスにネジ孔をハウジング内まで貫通させて設けるとともに、ネジボスに円筒部材を外嵌させ、車体に挿通するボルトをハウジングのネジボスに形成されたネジ孔にねじ込む構成が提案されている。
【先行技術文献】
【特許文献】
【０００６】
【特許文献１】特開平９−１１５３０２号公報
【発明の概要】
【発明が解決しようとする課題】
【０００７】
しかしながら、図７に示す従来の固定構造では、ランプ内部部品であるリフレクタ１０５をハウジング１０２に固定するためにハウジング１０２の外側からネジ１０８によってリフレクタ１０５をハウジング１０２側に引き込むことになるため、リフレクタ１０５の変形や割れ、ハウジング１０２の割れ等が発生し易いという問題がある。
【０００８】
又、特許文献１において提案された構成においても、ボルトによってハウジングを車体側に引き込んで固定する方式が採用されているために上記と同様の問題が発生するとともに、専用の円筒部材が必要となるためにコストアップを招くという問題がある。
【０００９】
本発明は上記問題に鑑みてなされたもので、その目的とする処は、ランプ内部部品の変形や割れ、ハウジングの割れ等を招くことなくランプ内部部品をハウジングに固定することができるランプ内部部品の固定構造を提供することにある。
【課題を解決するための手段】
【００１０】
上記目的を達成するため、請求項１記載の発明は、ハウジング内に収容されるランプ内部部品の前記ハウジングへの固定構造として、前記ハウジングに孔を形成し、該孔に前記ランプ内部部品に突設された突起を通して孔から突出させ、その突出部を熱カシメによってハウジングに固着することによってランプ内部部品をハウジングに固定する構成を採用したことを特徴とする。
【００１１】
請求項２記載の発明は、請求項１記載の発明において、前記ランプ内部部品の前記ハウジングへの固着部を防水カバーで覆ったことを特徴とする。
【００１２】
請求項３記載の発明は、ハウジング内に収容されるランプ内部部品の前記ハウジングへの固定構造として、前記ハウジングに孔を形成し、該孔に前記ランプ内部部品に突設された突起を通して孔から突出させ、その突出部にプッシュナットを圧入することによってランプ内部部品をハウジングに固定するとともに、その固定部を防水カバーで覆う構成を採用したことを特徴とする。
【発明の効果】
【００１３】
請求項１記載の発明によれば、ハウジングに形成された孔にランプ内部部品に突設された突起を通して孔から突出させ、その突出部を熱カシメによってハウジングに固着することによってランプ内部部品をハウジングに固定する構成を採用したため、ランプ内部部品にこれを引き込む力が作用せず、従って、ランプ内部部品の変形や割れ、ハウジングの割れ等を招くことなくランプ内部部品をハウジングに固定することができる。
【００１４】
請求項２記載の発明によれば、ランプ内部部品のハウジングへの固着部からハウジング内への水等の侵入が防水カバーによって確実に防がれる。
【００１５】
請求項３記載の発明によれば、ハウジングに形成された孔にランプ内部部品に突設された突起を通して孔から突出させ、その突出部にプッシュナットを圧入することによってランプ内部部品をハウジングに固定するとともに、その固定部を防水カバーで覆う構成を採用したため、ランプ内部部品にこれを引き込む力が作用せず、従って、ランプ内部部品の変形や割れ、ハウジングの割れ等を招くことなくランプ内部部品をハウジングに固定することができるとともに、ランプ内部部品の固定部からハウジング内への水等の侵入が防水カバーによって確実に防がれる。
【図面の簡単な説明】
【００１６】
【図１】第１発明に係る固定構造を備えたランプ（リヤコンビネーションランプ）の背面図である。
【図２】第１発明に係る固定構造を備えたランプ（リヤコンビネーションランプ）の部分断面図である。
【図３】図２のＡ部拡大詳細図である。
【図４】（ａ）〜（ｄ）は第１発明に係る固定構造によるリフレクタの固定手順を示す断面図である。
【図５】第２発明に係る固定構造を示すランプ（リヤコンビネーションランプ）の部分断面図である。
【図６】（ａ）〜（ｄ）は第２発明に係る固定構造によるリフレクタの固定手順を示す断面図である。
【図７】車両用灯具におけるリフレクタのハウジングへの固定構造の従来例を示す部分断面図である。
【発明を実施するための形態】
【００１７】
以下に本発明の実施の形態を添付図面に基づいて説明する。
【００１８】
［第１発明］
図１は本発明に係る固定構造を備えたランプ（リヤコンビネーションランプ）の背面図、図２は同ランプ（リヤコンビネーションランプ）の部分断面図、図３は図２のＡ部拡大詳細図、図４（ａ）〜（ｄ）は本発明に係る固定構造によるリフレクタの固定手順を示す断面図である。
【００１９】
図１に示すランプ１は、四輪車両の後端部の左右に設けられるリヤコンビネーションランプであって、図２に示すように、ハウジング２とその前面開口部を覆うアウタレンズ３によって画成される灯室内４に、リフレクタ５と、該リフレクタ５に保持された光源である不図示のバルブ等を収容して構成され、ボルト等の不図示の締結具によって車体パネル１０に取り付けられている。尚、左右のリヤコンビネーションランプ１の基本構成は同じであるため、以下、一方のリヤコンビネーションランプ１についてのみ図示及び説明する。
【００２０】
上記ハウジング２は、不透明な樹脂によって一体成形され、その前面開口部の周縁には透明な樹脂によって一体成形された前記アウタレンズ３がホットメルト等の接着剤によって接着されて固定されている。又、前記リフレクタ５も樹脂によって一体成形されており、その表面（反射面）にはアルミ蒸着等の反射処理が施されている。
【００２１】
而して、リフレクタ５は、図１に示す３点ａ，ｂ，ｃにおいて本発明に係る固定構造によってハウジング２に固定されている。ここで、リフレクタ５のａ点におけるハウジング２への固定構造の詳細を図３及び図４に基づいて以下に説明するが、他のｂ，ｃ点における固定構造はａ点における固定構造と同じであるため、以下、ａ点における固定構造についてのみ説明する。
【００２２】
図３に示すように、ハウジング２には有底筒状のボス２Ａが外方（図３の左方）に向かって一体に突設されており、このボス２Ａの中心には円孔２ａが形成されている。又、リフレクタ５の背面（ハウジング２の内面に対向する面）には円柱状のボス５Ａがハウジング２側に向かって一体に突設されており、このボス５Ａの中心には図４（ａ）に示すように丸棒状の突起５ａが一体に突設されている。ここで、突起５ａの外径はハウジング２のボス２Ａに形成された前記円孔２ａの内径よりも僅かに小さく設定されている。
【００２３】
而して、リフレクタ５をハウジング２に固定するには、図４（ａ）に示す状態から図４（ｂ）に示すようにリフレクタ５のボス５Ａの先端に突設された突起５ａをハウジング２のボス２Ａに形成された円孔２ａにハウジング２の内側から通してハウジング２の円孔２ａから外側に突出させる。
【００２４】
次に、図４（ｃ）に示すように、リフレクタ５の突起５ａのハウジング２の円孔２ａから突出する部分を熱カシメによって固着すれば、該突起５ａがハウジング２の円孔２ａの内径よりも大きな外径の偏平な止め部（ネジの頭部に類似した形状のもの）５ｂに変形してリフレクタ５のハウジング２からの抜けが防がれ、該リフレクタ５がハウジング２に確実に固定される。
【００２５】
そして、最後に図４（ｄ）に示すようにキャップ状の防水カバー６をハウジング２のボス２Ａの外周に図示矢印方向から嵌め込んでリフレクタ５の固着部を覆えば、図３に示すようなリフレクタ５のハウジング２への固定構造が完成する。
【００２６】
而して、本発明に係るリフレクタ５の固定構造によれば、ハウジング２のボス２Ａに形成された円孔２ａにリフレクタ５のボス５Ａに突設された突起５ａを通してハウジング２の円孔２ａから突出させ、その突出部を熱カシメによってハウジング２に固着することによってリフレクタ５をハウジング２に固定する構成を採用したため、リフレクタ５にこれを引き込む力が作用せず、従って、リフレクタ５の変形や割れ、ハウジング２の割れ等を招くことなくリフレクタ５をハウジング２に固定することができる。
【００２７】
又、本実施の形態では、リフレクタ５のハウジング２への固着部を防水カバー６で覆ったため、リフレクタ５の固着部からハウジング２内への水等の侵入が防水カバー６によって確実に防がれるという効果も得られる。
【００２８】
［第２発明］
次に、第２発明の実施の形態を図５及び図６に基づいて以下に説明する。
【００２９】
図２は本発明に係る固定構造を示すランプ（リヤコンビネーションランプ）の部分断面図、図６（ａ）〜（ｄ）は同固定構造によるリフレクタの固定手順を示す断面図であり、これらの図においては図３及び図４に示したものと同一要素には同一符号を付しており、以下、それらについての再度の説明は省略する。
【００３０】
本発明に係るリフレクタ５の固定構造においては、前記第１発明に係る固定構造と同様にハウジング２のボス２Ａの中心には円孔２ａが形成されており、リフレクタ５のボス５Ａの中心部には図６（ａ）に示すように丸棒状の突起５ａが一体に突設されている。ここで、突起５ａの外径はハウジング２のボス２Ａに形成された円孔２ａの内径よりも僅かに小さく設定されている。
【００３１】
而して、リフレクタ５をハウジング２に固定するには、図６（ａ）に示す状態から図６（ｂ）に示すようにリフレクタ５のボス５Ａの先端に突設された突起５ａをハウジング２のボス２Ａに形成された円孔２ａにハウジング２の内側からに通してハウジング２の円孔２ａから外側に突出させる。
【００３２】
次に、図６（ｃ）に示すように、リフレクタ５の突起５ａのハウジング２の円孔２ａから突出する部分に金属製のプッシュナット７を圧入することによってリフレクタ５をハウジング２に固定する。するト、プッシュナット７がリフレクタ５の突起５ａに係止されて該突起５ａのハウジング２の円孔２ａからの抜けを防ぐため、リフレクタ５がハウジング２に確実に固定される。
【００３３】
そして、最後に図６（ｄ）に示すようにキャップ状の防水カバー６をハウジング２のボス２Ａの外周に図示矢印方向から嵌め込んでリフレクタ５の固着部を覆えば、図５に示すようなリフレクタ５のハウジング２への固定構造が完成する。
【００３４】
而して、本発明に係るリフレクタ５のハウジング２への固定構造によれば、ハウジング２に形成された円孔２ａにリフレクタ５に突設された突起５ａを通してハウジング２の円孔２ａから突出させ、その突出部にプッシュナット７を圧入することによってリフレクタ５をハウジング２に固定するとともに、その固定部を防水カバー６で覆う構成を採用したため、リフレクタ５にこれを引き込む力が作用せず、従って、リフレクタ５の変形や割れ、ハウジング２の割れ等を招くことなくリフレクタ５をハウジング２に固定することができるとともに、リフレクタ５の固定部からハウジング２内への水等の侵入が防水カバー６によって確実に防がれるという効果が得られる。
【００３５】
尚、以上は本発明をリヤコンビネーションランプに対して適用した形態について説明したが、本発明は、リヤコンビネーションランプ以外の他の任意のランプに対しても同様に適用可能であることは勿論である。又、以上はリフレクタの固定構造について説明したが、本発明は、リフレクタ以外の他のランプ内部部品の固定構造に対しても同様に適用可能である。
【符号の説明】
【００３６】
１      ランプ（リヤコンビネーションランプ）
２      ハウジング
２Ａ    ハウジングのボス
２ａ    ハウジングの円孔（孔）
３      アウタレンズ
４      灯室
５      リフレクタ（ランプ内部部品）
５Ａ    リフレクタのボス
５ａ    リフレクタの突起
５ｂ    リフレクタの止め部
６      防水カバー
７      プッシュナット
１０    車体パネル
【図１】
2012114011.tif 000003
【図２】
2012114011.tif 000004
【図３】
2012114011.tif 000005
【図４】
2012114011.tif 000006
【図５】
2012114011.tif 000007
【図６】
2012114011.tif 000008
【図７】
2012114011.tif 000009